(57)【要約】【課題】輸送中における可動体の移動範囲を規制するものでありながら、設計自由度を向上することが可能な遊技機を提供する。【解決手段】遊技機に設けられて演出を行う可動役物に、遊技機に固定されているフレームに対して所定の軌跡で移動可能に支持された可動体と、可動体の軌跡上に進出する進出位置と前記可動体の軌跡上から退避する退避位置とに移動可能なストッパ部４７と、前記ストッパ部４７を前記進出位置と前記退避位置とに切換える操作を可能にする操作部と、を有する移動部材５５と、を備えた。ストッパ部４７が進出位置に位置している状態では、可動体の移動範囲が規制される。また、操作部５９は、ストッパ部４７に対し着脱可能となっている。【選択図】図９
2018175719.tif 000002
【特許請求の範囲】
【請求項１】
演出を行うための可動役物を備えた遊技機において、
前記可動役物は、
フレームに対して、所定の軌跡で移動可能に支持された可動体と、
前記可動体の移動軌跡上に進出する進出位置と前記可動体の移動軌跡上から退避する退避位置とに進退可能なストッパ部と、前記ストッパ部を前記進出位置と前記退避位置とに切換える操作を可能にする操作部と、を有し、前記ストッパ部が前記進出位置に位置している状態で前記可動体の移動範囲を規制する移動部材と、を備え、
前記操作部は、前記ストッパ部に対し着脱可能である、
ことを特徴とする遊技機。   
【請求項２】
前記移動部材は、前記ストッパ部を複数有すると共に、前記操作部の操作により、複数の前記ストッパ部を、前記進出位置と前記退避位置とに、一括して移動するように連動させる連動部と、を有する、
ことを特徴とする請求項１に記載の遊技機。
【請求項３】
前記ストッパ部が前記進出位置に位置している状態の前記移動部材に対して、前記進出位置と前記退避位置との移動方向における前記退避位置とは反対側に位置する規制部を備え、
前記可動体に前記ストッパ部が押されて前記移動部材が前記規制部に当接した状態で、前記規制部が前記移動部材を介して前記可動体の移動範囲を規制する、
ことを特徴とする請求項１又は請求項２に記載の遊技機。
【発明の詳細な説明】
【技術分野】
【０００１】
本発明は、遊技機に関する。
【背景技術】
【０００２】
従来、液晶表示器に表示される演出に連動して、液晶表示器の前方で動く可動体を備える可動役物が設けられているパチンコ機やスロットマシン等の遊技機が知られている。例えば、特許文献１に示すように、この種の遊技機は、液晶表示器の前方に開閉部材とレールとを備えた可動役物を配置して、レールに沿って開閉部材を駆動させることにより、液晶表示器の演出効果を高めている。
【０００３】
上述した遊技機は、輸送中の振動等により開閉部材が移動するのは好ましくないため、輸送中は開閉部材を合成樹脂製の固定器具で固定することができるように構成されている。また、上述した遊技機は、作業者が開閉部材を固定する際には、固定器具を可動役物に形成されているスリットに挿通させた後で固定器具が係止爪に係合するまで回転し、作業者が開閉部材の固定を解除する際には、係止爪との摩擦力に抗して固定する際とは反対方向へ固定器具を回転させた後でスリットから抜き取って取り外せるように構成されており、作業者がこのような固定器具を輸送前に可動役物に取り付けることで、輸送中における開閉部材の移動範囲を規制している。
【先行技術文献】
【特許文献】
【０００４】
【特許文献１】特開２０１０−２３４０１８号公報
【発明の概要】
【発明が解決しようとする課題】
【０００５】
しかしながら、上記特許文献１に記載の遊技機においては、開閉部材等の可動体の移動範囲を規制するために、スリットを通して固定器具を可動役物の内部に挿入するように構成されており、固定器具の配置や形状等に関して設計上の制約が生じるため、設計自由度の向上の妨げとなっていた。
【０００６】
そこで、本発明は、輸送中における可動体の移動範囲を規制するものでありながら、設計自由度を向上することが可能な遊技機を提供することを目的としている。
【課題を解決するための手段】
【０００７】
（１）本発明は、演出を行うための可動役物（２７，１２７）を備えた遊技機（１，１０１）において、
前記可動役物（２７，１２７）は、
フレーム（２８，１２８）に対して、所定の軌跡で移動可能に支持された可動体（３６，３７）と、
前記可動体（３６，３７）の移動軌跡上に進出する進出位置と前記可動体の移動軌跡上から退避する退避位置とに進退可能なストッパ部（４６，４７，１４６）と、前記ストッパ部（４６，４７，１４６）を前記進出位置と前記退避位置とに切換える操作を可能にする操作部（５９）と、を有し、前記ストッパ部（４６，４７，１４６）が前記進出位置に位置している状態で前記可動体の移動範囲を規制する移動部材（５５，１５５）と、を備え、
前記操作部（５９）は、前記ストッパ部（４６，４７，１４６）に対し着脱可能である、ことを特徴とする。
【０００８】
（２）また、本発明において、前記移動部材（１５５）は、前記ストッパ部（４６，４７，１４６）を複数有すると共に、前記操作部の操作により、複数の前記ストッパ部（４６，４７，１４６）を、前記進出位置と前記退避位置とに、一括して移動するように連動させる連動部（５８）と、を有する、ことを特徴とする。
【０００９】
（３）また、本発明において、前記ストッパ部（４６，４７，１４６）が前記進出位置に位置している状態の前記移動部材（５５，１５５）に対して、前記進出位置と前記退避位置との移動方向における前記退避位置とは反対側に位置する規制部（２８ｄ，５７ａ）を備え、
前記可動体（３６，３７）に前記ストッパ部（４６，４７，１４６）が押されて前記移動部材（５５，１５５）が前記規制部（２８ｄ，５７ａ）に当接した状態で、前記規制部（２８ｄ，５７ａ）が前記移動部材（５５，１５５）を介して前記可動体（３６，３７）の移動範囲を規制する、ことを特徴とする。
【００１０】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１１】
本発明によれば、輸送中における可動体の移動範囲を規制するものでありながら、設計自由度を向上することができる。
【図面の簡単な説明】
【００１２】
【図１】第１の実施形態における遊技機の外観構成を示す斜視図である。
【図２】第１の実施形態における前面上扉を示す分解図である。
【図３】第１の実施形態における可動役物を示す分解図である。
【図４】第１の実施形態における前面上扉の要部を示す正面側から視た斜視図である。
【図５】第１の実施形態における前面上扉の要部を示す正面側から視た斜視図で、右側可動体及び左側可動体の作動状態を示す図である。
【図６】第１の実施形態における可動役物の要部を示す拡大斜視図で、（ａ）は背面側から視た図、（ｂ）は正面側から視た図である。
【図７】第１の実施形態における右側回動体の動作を示す正面側から視た拡大斜視図で、（ａ）は右側回動体が退避位置に位置する状態を示す図、（ｂ）は右側回動体が進出位置に位置する状態を示す図である。
【図８】第１の実施形態における前面上扉の要部を示す背面側から視た斜視図である。
【図９】第１の実施形態における前面上扉の背面の構成及び操作部品の操作手順を示す背面側から視た拡大斜視図で、（ａ）は操作部品を取り外した状態を示す図、（ｂ）は操作部品を取り付けた状態を示す図、（ｃ）は操作部品を回動操作した状態を示す図である。
【図１０】第１の実施形態における前面上扉の要部を示す正面側から視た斜視図で、左側回動体及び右側回動体が進出位置に位置する状態を示す図である。
【図１１】第２の実施形態における可動役物を示す斜視図で、（ａ）は背面側から視た斜視図、（ｂ）は正面側から視た斜視図、（ｃ）は回動体が進出位置に位置する状態を示す正面側から視た要部の拡大斜視図、（ｄ）は回動体が退避位置に位置する状態を示す正面側から視た要部の拡大斜視図である。
【発明を実施するための形態】
【００１３】
以下、第１の実施形態及び第２の実施形態について説明する。なお、以下に説明する第１の実施形態及び第２の実施形態は、特許請求の範囲に記載された本発明の内容を不当に限定するものではない。また、第１の実施形態及び第２の実施形態で説明される構成の全てが、本発明の必須構成要件であるとは限らない。
【００１４】
１．スロットマシンの構成
図１は、本発明の第１の実施形態に係るスロットマシン１の外観構成を示す斜視図である。スロットマシン１は、いわゆる回胴式遊技機と呼ばれるもので、メダルを遊技媒体として用いた遊技を行う種類の遊技機である。
【００１５】
スロットマシン１は、６面体構造のうち遊技者に対向する１面が開口した箱形の筐体１０内の中央部に、外周面に一定間隔で複数種類の図柄が配列された第１リール〜第３リールを備えるリールユニット（不図示）が収められている。また、筐体１０内のリールユニットの下部には、メダルの払出装置としてのホッパーユニット（不図示）が収められている。また、筐体１０内には、ＣＰＵ、ＲＯＭ（情報記憶媒体の一例）、ＲＡＭ等を搭載し、スロットマシン１の動作を制御する主制御基板（不図示）や、各部品に電力を供給するための電源装置及び電源装置のオンとオフとを切り換える主電源スイッチを内蔵した電源ユニット（不図示）等も収められている。
【００１６】
スロットマシン１には、筐体１０の開口する面を被覆する前面上扉６１と前面下扉６２とが、個別に開閉可能に設けられている。前面上扉６１には、上述した第１リール〜第３リールの回転状態及び停止状態を観察可能にする図柄表示窓６３が設けられている。スロットマシン１には、図柄表示窓６３を通じて観察される図柄の表示位置として、各リールについて上段、中段、下段が設けられている。例えば第１リール〜第３リールの停止状態では、各リールの図柄のうち外周面上に連続して配列されている３つの図柄が上段、中段、下段の各表示位置に表示されて、これらの図柄をスロットマシン１の正面から図柄表示窓６３を通じて観察できるようになっている。
【００１７】
また、スロットマシン１は、各リールの上段、中段、下段の表示位置の組合せによって有効ラインが設定されている。スロットマシン１は、１回の遊技を行うために必要となるメダルの数、いわゆる規定投入数が３枚に設定されており、規定投入数に相当するメダルが投入されると、例えば各リールの中段の表示位置によって構成される有効ラインが有効化される。
【００１８】
そして、遊技結果は、図柄表示窓６３内の有効ライン上に停止表示された図柄の組合せによって判定され、有効ライン上の図柄の組合せが予め定められた役に対応した図柄の組合せである場合に、その役が入賞したものとしてホッパーユニットからメダルの払い出し等が行われる。
【００１９】
前面下扉６２の上部には、各種の操作手段が設けられている。操作手段としては、スロットマシン１内に電子的にクレジット（貯留）されたメダルの中から規定投入数のメダルを電子的に投入するマックスベットボタン６６、第１リール〜第３リールを回転させて遊技を開始する契機となる開始操作を遊技者に実行させるためのスタートレバー６７、回転中の第１リール〜第３リールのそれぞれを停止させる契機となる停止操作を遊技者に実行させるためのストップボタンＢ１〜ストップボタンＢ３及び貯留されたメダルを精算して全て排出するための精算ボタン６８が設けられている。
【００２０】
スロットマシン１は、遊技者が規定枚数以上のメダルをメダル投入口６９に投入するか、規定投入数以上のメダルが貯留されている状態でマックスベットボタン６６を押下することで、第１リール〜第３リールの回転制御を開始することが可能な準備状態にセットされる。そして、遊技者がスタートレバー６７を押下すると、不図示の主制御基板の制御により、第１リール〜第３リールがステッピングモータで回転開始されると共に、乱数値を用いた内部抽選が行われ、第１リール〜第３リールの回転速度が所定の速度まで上昇し定常回転になってから、ストップボタンＢ１〜ストップボタンＢ３による停止操作が有効化される。
【００２１】
その後、遊技者が任意のタイミングでストップボタンＢ１〜ストップボタンＢ３を押下すると、主制御基板は、ストップボタンＢ１〜ストップボタンＢ３が押下されたタイミング及び内部抽選の結果に応じた停止位置で第１リール〜第３リールを停止させる。
【００２２】
また、主制御基板は、第１リール〜第３リールを停止させた後に、有効ライン上に停止している図柄の組合せ、つまり入賞した図柄の組合せに応じて、各種処理を実行する。主制御基板が実行する各種処理としては、例えば、入賞した図柄の組合せがメダルの払い出しを伴う小役の図柄の組合せである場合には、入賞した小役に設定されている配当に基づきホッパーユニットからメダルを払い出す払出処理や、入賞した図柄の組合せが遊技者にメダルを消費させることなく１回遊技を実行可能にするリプレイの図柄の組合せである場合には、規定投入数のメダルを投入状態に設定するリプレイ処理等がある。
【００２３】
前面下扉６２には、各種の操作手段の他に、遊技情報表示部７０や下パネル７１が設けられている。遊技情報表示部７０は、ＬＥＤ、ランプ、７セグメント表示器等からなり、メダルの貯留数、１回の遊技におけるメダルの払出数、ボーナス状態でのメダルの払出数の合計等の各種遊技情報が表示される。下パネル７１は、例えば遊技機のテーマや関連するキャラクタの画像や商品名等が印刷されて、背面側に配置されている光源（図示せず）により照明している。
【００２４】
また、前面下扉６２の下部には、不図示のメダル払出口とメダル受け皿７２とが設けられており、遊技の結果に応じた枚数のメダルがメダル払出口からメダル受け皿７２へ払い出されるようになっている。また、例えば、スロットマシン１内にメダルが貯留されている状態で、精算ボタン６８が押下された場合、精算ボタン６８の押下に伴ってホッパーユニットから貯留されたメダルの枚数を排出する精算処理が実行され、ホッパーユニットがメダル払出口からメダル受け皿７２へメダルを排出する。
【００２５】
２．前面上扉の構成
続いて、前面上扉６１の詳細について図２を用いて説明する。前面上扉６１は、上下一対の蝶番部材２０を介して筐体１０に連結されると共に、開口を有する枠状に形成されている金属製の金属枠２１と、金属枠２１の前方に配置され、開口２２ｄを有する枠状に形成されて前面上扉６１の各構成部品が取り付けられる合成樹脂性の樹脂枠２２と、を備え、蝶番部材２０の動作により筐体１０に対して開閉可能に設けられている。
【００２６】
樹脂枠２２の開口２２ｄは、当該開口２２ｄの略中心を通過して樹脂枠２２の左右を接続する分割帯２２ａにより上下に分割されており、分割帯２２ａの上側には、後方から遊技演出を行うための表示装置２４が取り付けられる表示装置用開口２２ｂが形成されている。また、樹脂枠２２には、分割帯２２ａの下側に、前方から透明な板状のリールパネル２３が取り付けられるリール用開口２２ｃが形成されている。表示装置２４は、例えば液晶ディスプレイから構成され、遊技を補助したり、遊技を盛り上げたりするための各種の映像が表示される平面状の表示面２４ａを有する。表示装置２４の前方には、詳しくは後述する遊技演出を行うための可動役物２７が設けられており、可動役物２７の前方は、表示装置用開口２２ｂと略同じ大きさの透明な板材である保護パネル４９により覆われている。
【００２７】
保護パネル４９の前方には、内装された電飾基板が遊技者等に向けて発光することで演出を盛り上げる各電飾装置が設けられており、前面上扉６１の上部には上電飾装置５１が、左部には左電飾装置５２が、右部には右電飾装置５３が、下部にはリール用開口２２ｃの周囲を囲う下電飾装置５４が配置されて、それぞれ樹脂枠２２に取り付けられている。上電飾装置５１の上端と樹脂枠２２の上端とは、可動役物２７の上方を覆う天板５０によって接続されている。また、上電飾装置５１の下端、左電飾装置５２の右端、右電飾装置５３の左端及び下電飾装置５４の上端により表示装置用開口２２ｂと略同じ大きさの演出表示窓６４（図１参照）が形成され、保護パネル４９を通して表示装置２４及び可動役物２７の遊技演出が観察できるように構成されている。また、表示装置２４の後方には、主制御基板からの信号に応じて、表示装置２４及び可動役物２７の作動並びに各電飾装置の発光等を制御するサブ制御基板（不図示）が収納されている、サブ制御基板ユニット２６が取り付けられている。
【００２８】
３．可動役物の構成
続いて、可動役物２７の詳細について図３乃至図５を用いて説明する。図３に示すように、可動役物２７は、演出表示窓６４（図１参照）と略同じ大きさの開口２８ｆを有する枠状に形成されて、樹脂枠２２（図２参照）の前側に固定されるフレーム２８と、表示装置２４（図２参照）に表示される映像に連動して表示装置２４の前方で左右方向へスライド移動し、表示装置２４による演出効果を高める可動体としての左側可動体３６及び右側可動体３７と、フレーム２８の左端から右端に亘ってフレーム２８の上部に取り付けられて、左側可動体３６及び右側可動体３７を左右方向へスライド移動させる駆動装置２９と、フレーム２８の左端から右端に亘ってフレーム２８の下端に取り付けられて左側可動体３６及び右側可動体３７の下端を案内するガイド板４３と、を備える。
【００２９】
駆動装置２９は、表示装置２４の左端から右端に亘って左側可動体３６及び右側可動体３７のスライド移動を案内するガイド軸３２と、ガイド軸３２の左右両端に設けられてガイド軸３２をフレーム２８に固定する一対のガイド軸固定部材３４と、駆動装置２９の左端に固定されて左側可動体３６を駆動する左側モータ３０と、駆動装置２９の右端に固定されて右側可動体３７を駆動する右側モータ３１と、を備え、左側モータ３０の動力は左側可動体３６へ、右側モータ３１の動力は右側可動体３７へ、それぞれベルト（不図示）により伝達される。これにより、駆動装置２９は、サブ制御基板からの信号に応じて、フレーム２８と相対的に固定されているガイド軸３２に沿って左側可動体３６と右側可動体３７とをそれぞれ独立して左右方向にスライド移動させる。また、駆動装置２９には、駆動装置２９の左端から右端に亘って、左側可動体３６及び右側可動体３７の左右位置を検出するための複数の光学センサ３３が設けられている。
【００３０】
左側可動体３６及び右側可動体３７には、立体的な形状や塗装等により装飾がされていたり、スロットマシン１の前方に向けて発光することで演出を盛り上げる電飾基板（不図示）が内装されている左側装飾部３６ａ及び右側装飾部３７ａを有したりしており、電飾基板には、サブ制御基板と接続されている可動体ハーネス４０により電力が供給される。また、左側可動体３６及び右側可動体３７が互いに接近して当接した際には、左側装飾部３６ａの右端部が後方、右側装飾部３７ａの左端部が前方となり、左側可動体３６の右端部及び右側可動体３７の左端部が前後方向に重なるように形成されている。
【００３１】
左側可動体３６及び右側可動体３７のそれぞれの上端には、ガイド軸３２の外径より僅かに大きい内径でかつ左右方向へ延伸する穴が形成されてガイド軸３２に挿通されているホルダ３８が備えられており、左側可動体３６及び右側可動体３７は、ホルダ３８により左右への傾きが抑えられると共にガイド軸３２に沿って左右方向へ案内される。また、左右のそれぞれのホルダ３８は、光学センサ３３の発する光を遮断して左側可動体３６及び右側可動体３７の位置を検出させる検出部３８ａを備えており、左側可動体３６の左右位置及び右側可動体３７の左右位置は、光学センサ３３によってそれぞれ独立して検出される。また、ホルダ３８は、遊技者からは視認がしにくい位置、即ち遊技者が通常の遊技を行う視点ではない位置から覗き込むことにより辛うじて視認ができる位置に配置されており、左側可動体３６及び右側可動体３７が互いに近づく方向へスライド移動する際には、左側装飾部３６ａと右側装飾部３７ａとが互いに当接するより先にホルダ３８同士が当接するように配置されている。
【００３２】
左側可動体３６及び右側可動体３７は、それぞれの下端に設けられているローラベース４２に対して、略鉛直方向の軸線を中心に回転自在かつ上下に所定距離を移動自在に支持されている円筒状のローラ４１を有している。ローラ４１は、通常は自重により上下に移動自在な範囲の下端に位置しており、フレーム２８の下端近傍にその左端から右端に亘って形成されている後方ガイド面２８ａと、ガイド板４３の上端にその左端から右端に亘って形成されている前方ガイド面４３ａと、によって左右方向へ移動自在に案内されている。左側可動体３６及び右側可動体３７が左右方向へスライド移動する際には、ローラ４１が後方ガイド面２８ａ及び前方ガイド面４３ａに当接して回転することで、左側可動体３６及び右側可動体３７と、後方ガイド面２８ａ及び前方ガイド面４３ａと、の摩擦抵抗が軽減される。また、可動役物２７の左右下部には、フレーム２８及びガイド板４３によって、詳細は後述する一対のストッパ部としての左側回動体４６及び右側回動体４７が回動可能に軸支されている。
【００３３】
図４に示すように、可動役物２７が左側可動体３６及び右側可動体３７のスライド移動による遊技演出を行っていない状態においては、左側可動体３６は、ホルダ３８が左のガイド軸固定部材３４に当接してかつローラベース４２がフレーム２８の開口２８ｆ（図３参照）の左端に当接する状態、即ちガイド軸３２の左端に位置するように制御される。同様に、右側可動体３７は、ホルダ３８が左のガイド軸固定部材３４に当接してかつローラベース４２がフレーム２８の開口２８ｆ（図３参照）の右端に当接する状態、即ち、ガイド軸３２の右端に位置するように制御される。また、左側可動体３６及び右側可動体３７の位置に寄らず、電源装置がオフからオンに切り換えられたときは、初期動作として、左側可動体３６及び右側可動体３７はそれぞれガイド軸３２の左端及び右端へスライド移動するように制御される。
【００３４】
遊技状態の変化等によりサブ制御基板から可動役物２７にスライド移動による遊技演出を行うための電力が供給されると、左側可動体３６及び右側可動体３７がガイド軸３２に沿って左右方向へスライド移動し、例えば図５に示すように、それぞれガイド軸３２の中央付近で左側可動体３６及び右側可動体３７のホルダ３８同士が当接する位置までスライド移動する。このように、左側可動体３６及び右側可動体３７の左右方向へのスライド移動が可能な移動範囲は、後述するように左側可動体３６及び右側可動体３７によって移動範囲を規制されていない状態においては、ホルダ３８がガイド軸固定部材３４に当接してかつローラベース４２がフレーム２８の開口２８ｆ（図３参照）の右端又は左端に当接する位置から、左側可動体３６及び右側可動体３７のホルダ３８同士が互いに当接する位置までに設定されている。このように、フレーム２８、表示面２４ａ、保護パネル４９（図２参照）及び天板５０（図２参照）により区画される内部空間Ｓにおいて、左側可動体３６及び右側可動体３７が遊技演出を行う。
【００３５】
４．左側可動体及び右側可動体のスライド移動の規制手段
続いて、左側可動体３６及び右側可動体３７の左右方向へのスライド移動可能な移動範囲を規制する手段について図６乃至図１０を用いて説明する。図１０に示すように、可動役物２７は、フレーム２８及びガイド板４３（図６参照）に支持されて、左側可動体３６及び右側可動体３７がスライド移動する移動範囲を規制する、左側回動体４６及び右側回動体４７を備えている。なお、スロットマシン１において、左側可動体３６及び右側可動体３７が左右方向へスライド移動する移動範囲を規制する手段は、筐体１０（図１参照）の左側面及び右側面に平行でかつ表示面２４ａの略中心を通る仮想面を基準として左右が面対称となっている。このため、以下、右側のみについて説明し、左側についての説明は省略する。
【００３６】
また、本実施形態では左側回動体４６及び右側回動体４７により左側可動体３６及び右側可動体３７がスライド移動する移動範囲を規制している状態においても、僅かに左側可動体３６及び右側可動体３７がスライド移動可能なものであるが、左側回動体４６及び右側回動体４７によって左側可動体３６及び右側可動体３７の移動範囲を縮小し得るものであれば、左側回動体４６及び右側回動体４７による規制後の左側可動体３６及び右側可動体３７の移動可能な範囲はどのような幅であってもよい。また、左側回動体４６及び右側回動体４７の取付位置等を適宜設定することによって、左側回動体４６及び右側回動体４７による規制後の左側可動体３６及び右側可動体３７の移動可能な範囲の幅を０にして、左側可動体３６及び右側可動体３７を移動不能に固定することも可能である。つまりスライド移動の移動範囲の規制とは、左側可動体３６及び右側可動体３７が、所定の幅でスライド移動可能に移動範囲を縮小することも、また移動不能に固定することも含むものである。
【００３７】
図６（ａ）及び（ｂ）に示すように、フレーム２８には、その右下部に配置され、前後方向に貫通して内部空間Ｓと外部とを連通する後軸支孔２８ｂが形成されている。また、後軸支孔２８ｂの近傍には、後軸支孔２８ｂの中心軸線と略平行で、共に斜め上方を向くように互いに所定の角度を有するように配置されている受面２８ｅ及び規制部としての第１規制面２８ｄが形成されている。右側回動体４７は、表示装置２４の表示面２４ａ（図２参照）に対して略垂直方向に延伸して、後軸支孔２８ｂより僅かに直径が小さい円筒状の支軸４７ａと、内部空間Ｓに配置され、支軸４７ａの前端面と後端面との間において支軸４７ａの中心軸線に対して略垂直方向へ延伸する進出部４７ｃと、を有する。進出部４７ｃは、支軸４７ａの中心軸線に対して略垂直で互いに略平行な前面及び後面を有し、先端が支軸４７ａの中心軸線方向視において略Ｕ字状の平面板状に形成されている。
【００３８】
また、右側回動体４７は、支軸４７ａの中心軸線と略平行でかつ支軸４７ａの中心軸線の近傍を通る平面上に形成され、進出部４７ｃの先端より支軸４７ａの中心軸線寄りに配置されている被規制面４７ｅを有する。右側回動体４７は、支軸４７ａの進出部４７ｃより後側が後軸支孔２８ｂを貫通することでフレーム２８に対して位置決めされて、支軸４７ａを支点として回動可能に軸支されていると共に、進出部４７ｃの側面が受け面２８ｅに当接する回動位置と、第１規制面２８ｄに被規制面４７ｅが当接する回動位置と、の間で回動範囲が規制されている。右側回動体４７は、後軸支孔２８ｂより大きく形成されて、可動役物２７等の分解を行わずには上述の内部空間Ｓから取り出すことができないように閉じ込められると共に、後軸支孔２８ｂは支軸４７ａにより塞がれる。また、進出部４７ｃの前面の先端付近には、前方へ向けて膨出する略半球面状に形成されて、右側回動体４７の回動位置を保持するための被保持部４７ｆが設けられている。
【００３９】
また、右側回動体４７の支軸４７ａの後端には、後述する操作部としての操作部品５９（図９参照）が接続される係合孔４７ｄが形成されている。係合孔４７ｄは、支軸４７ａと同軸の円孔の一部が支軸４７ａと平行な平面で面取りされて、断面略Ｄ字状に形成されている。ガイド板４３の右端近傍には、支軸４７ａの進出部４７ｃより前側を回動可能に軸支する前軸支孔４３ｂと、前後方向の外力により弾性変形が可能な片持ち梁状の保持爪４３ｄと、が形成されており、保持爪４３ｄの先端には、後方へ向けて突出し、右側回動体４７が回動する際に被保持部４７ｆが当接し得る保持突起４３ｅが形成されている。
【００４０】
図７は、右側回動体４７の回動を示す図である。図７（ａ）に示すように、右側回動体４７が、正面から視て時計回りとなるＡ方向へ回動すると、進出部４７ｃの側面は受面２８ｅ（図７（ｂ）参照）に当接して、右側回動体４７はＡ方向への回動が規制される。このとき、右側回動体４７は、右側可動体３７が左右方向へスライド移動する軌跡上から退避する第１回動位置としての退避位置となり、右側可動体３７は左右方向へスライド移動自在となる。また、図７（ｂ）に示すように、Ａ方向とは反対側のＢ方向へ右側回動体４７が回動すると、被規制面４７ｅ（図７（ａ）参照）は第１規制面２８ｄ（図７（ａ）参照）に当接して、右側回動体４７はＢ方向への回動が規制される。このとき、右側回動体４７は、右側可動体３７のローラ４１が左右方向へスライド移動する軌跡上に進出する第２回動位置としての進出位置となる。
【００４１】
なお、退避位置とは右側回動体４７が右側可動体３７の移動軌跡上から完全に退避している回動位置のみを指すのではなく、右側回動体４７の一部が右側可動体３７の移動軌跡上に進出しているが、右側可動体３７によって左方向へ押されると右側回動体４７がＡ方向に回動して右側可動体３７の移動軌跡上から退避する回動位置や、右側可動体３７によって左方向へ右側回動体４７が押されると右側可動体３７の一部または全部が上方へ移動して右側可動体３７が右側回動体４７を乗り越える回動位置も含む。また、進出位置とは被規制面４７ｅ（図７（ａ）参照）が第１規制面２８ｄに当接している回動位置のみを指すのではなく、被規制面４７ｅ（図７（ａ）参照）と第１規制面２８ｄとは離間しているが、右側可動体３７によって左方向へ押されると右側回動体４７がＢ方向に回動して被規制面４７ｅ（図７（ａ）参照）が第１規制面２８ｄに当接する回動位置も含む。
【００４２】
可動役物２７が右側可動体３７のスライド移動による遊技演出を行っていない状態、即ち右側可動体３７がガイド軸３２の右端に位置する状態で、右側回動体４７が進出位置に移動されたとき、ローラ４１の下端は、進出部４７ｃの右端より下方に位置している。このため、上記の状態でローラ４１が左方へ移動しようとすると、ローラ４１により右側回動体４７の右端が左方へ押されてローラ４１と右側回動体４７とが当接した状態で右側回動体４７にはＢ方向へ回動する力が加わる。このとき、被規制面４７ｅは第１規制面２８ｄに当接しているので、右側回動体４７はＢ方向への回動が規制され、即ち右側可動体３７の移動範囲が右側回動体４７を介して第１規制面２８ｄにより規制される。
【００４３】
また、右側回動体４７が進出位置から退避位置に回動する際には、ガイド板４３の保持爪４３ｄが弾性変形しながら、被保持部４７ｆが保持突起４３ｅを越えるように移動し、右側回動体４７が退避位置から進出位置に回動する際には、保持爪４３ｄが弾性変形しながら、被保持部４７ｆが保持突起４３ｅを越えるように移動する。このように、右側回動体４７は、振動や重力等により進出位置と退避位置とに自由に進退しないよう、被保持部４７ｆ及び保持突起４３ｅによりそれぞれ何れかの回動位置が保持される。
【００４４】
続いて、右側回動体４７が退避位置から進出位置へ切換え操作される構成について図８乃至図１０を用いて説明する。図８及び図９に示すように、左側回動体４６及び右側回動体４７は、被操作部としての支軸４７ａの係合孔４７ｄに接続される操作部としての操作部品５９を介して、内部空間Ｓ（図４参照）の外部から作業者によって回動操作されると共に、表示装置２４は、背面の左右下部に操作部品５９を係止する左係止部５６及び右係止部５７を有する。
【００４５】
なお、スロットマシン１において、左係止部５６の形状及び配置と、右係止部５７の形状及び配置とは、筐体１０（図１参照）の左側面及び右側面に平行でかつ表示面２４ａの略中心を通る仮想面を基準として左右が面対称となっている。このため、以下、右係止部５７のみについて説明し、左係止部５６についての説明は省略する。
【００４６】
右係止部５７は、表示装置２４の背面から略後方へ向けて延設される規制部としての第２規制面５７ａと、表示装置２４の表示面２４ａ（図２参照）と略平行でかつ第２規制面５７ａと一体的に連続して形成される脱離防止部としての脱離防止面５７ｂと、を有する。また、右係止部５７には、脱離防止面５７ｂの端縁に沿って延設されると共に、脱離防止面５７ｂの前面から前方に向かって突出する突条である係止突起５７ｃが形成されている。操作部品５９は、右側回動体４７に接続されている状態において係合孔４７ｄに挿通される係合軸５９ａを有する。係合軸５９ａは、右側回動体４７の係合孔４７ｄの円孔の内径より断面の最大外形が僅かに小さい断面略Ｔ字状に形成されている。
【００４７】
また、操作部品５９は、右側回動体４７に接続されている状態における係合軸５９ａの後端に形成されて、係合孔４７ｄと略同軸で直径が係合孔４７ｄの内径より大きい円筒状の基軸５９ｂと、基軸５９ｂの後端に基軸５９ｂの中心軸線に対して略垂直な略円盤状に形成されているベース板５９ｃと、ベース板５９ｃに対して略垂直に後方へ延設されている板状の操作摘み５９ｄと、を有する。操作部品５９のベース板５９ｃには、基軸５９ｂの中心軸線に対して略垂直方向に向かって板状の被係止部５９ｅが延設されている。操作部品５９が右側回動体４７に接続されている状態における被係止部５９ｅの背面には、被係止部５９ｅと同じ方向に向かって延設されると共に、後方に向かって突出する突条である被係止突起５９ｆが形成されている。これにより、右側回動体４７が進出位置と退避位置との間で進退するように操作部品５９が回動する際、被係止突起５９ｆが右係止部５７の係止突起５７ｃに引掛かることで回動方向への抵抗力が発生し、当該抵抗力を超える力が操作部品５９に加わらない限りは、右側回動体４７の進出位置と退避位置とに対応する操作部品５９の回動位置が保持されるように構成されている。
【００４８】
続いて、操作部品５９の着脱操作と回動動作について図９及び図１０を用いて説明する。右側可動体３７がガイド軸３２の右端に位置している状態（図４参照）、かつ図９（ａ）に示すように操作部品５９が右側回動体４７から取り外されている状態で、作業者が、図９（ｂ）に示すように操作部品５９の基軸５９ｂの前端が右側回動体４７の支軸４７ａの後端に当接するように係合軸５９ａを係合孔４７ｄに挿通させることで、操作部品５９が右側回動体４７に接続される。これにより、操作部品５９と右側回動体４７とにより移動部材としての右側移動部材５５が構成され、操作部品５９は図９（ａ）に示す支軸４７ａの軸線方向である着脱方向としてのＣ方向へ着脱可能に接続されると共に、操作部品５９と右側回動体４７とが互いに当該軸線回りの方向への相対回動が制限される。同様に、操作部品５９が左側回動体４６に接続されると、操作部品５９と左側回動体４６とにより移動部材としての左側移動部材（不図示）が構成される。
【００４９】
この状態で、図９（ｃ）に示すように、被係止突起５９ｆが係止突起５７ｃを越えるまで、背面から視て時計回りとなるＤ方向へ操作部品５９が回動すると、図１０に示すように右側回動体４７が退避位置から進出位置に切換わる。これにより、右側可動体３７の移動範囲は、ホルダ３８がガイド軸固定部材３４に当接してかつローラベース４２がフレーム２８の開口２８ｆ（図３参照）の右端に当接する位置から、ローラ４１が右側回動体４７に当接する位置までに規制される状態となる。さらに、このように右側回動体４７が進出位置に位置する状態では、右側回動体４７に装着された操作部品５９の被係止部５９ｅに脱離防止面５７ｂが対向配置されるので、操作部品５９の着脱方向の脱離側、即ちＣ方向の後方側への移動が阻止されて、操作部品５９は右係止部５７に係止される。
【００５０】
また、図９（ｃ）の状態で、操作部品５９が更にＤ方向へ回動しようとする場合は、被係止部５９ｅの側面が第２規制面５７ａに当接して、操作部品５９の回動が規制される。即ち、図９（ｃ）の状態で、右側回動体４７が、進出位置から退避位置へ回動しようとする方向、即ち図７（ｂ）のＢ方向へ、右側回動体４７より右側に位置するローラ４１に押されたとき、右側回動体４７は、第１規制面２８ｄだけでなく、操作部品５９を介して第２規制面５７ａによっても回動が規制される。
【００５１】
図９（ｃ）の状態から、被係止突起５９ｆが係止突起５７ｃを越えて操作部品５９がＤ方向とは反対の方向へ回動すると、右側回動体４７は進出位置から退避位置に切換わる。更に同方向に操作部品５９が回動して、脱離防止面５７ｂと被係止部５９ｅとが前後方向に重ならない回動位置となると、操作部品５９は右側回動体４７に対して着脱自在な状態、即ち図９（ｂ）の状態となる。
【００５２】
なお、右側可動体３７（図７（ｂ）参照）のローラ４１（図７（ｂ）参照）が右側回動体４７（図７（ｂ）参照）より左方に位置している状態で右側回動体４７（図７（ｂ）参照）が進出位置に回動されたときに、右側モータ３１（図１０参照）が作動して右側回動体４７（図７（ｂ）参照）に右方向へスライド移動する外力が与えられると、ローラ４１（図７（ｂ）参照）は、進出部４７ｃ（図７（ｂ）参照）の側面に当接して案内されながら上方へ揚送され、進出部４７ｃ（図７（ｂ）参照）を乗り越えて自重で落下し、右側可動体３７はガイド軸３２（図１０参照）の右端まで移動する。
【００５３】
作業者は、例えば製造工場からホールへスロットマシン１を輸送するにあたり、輸送前にまず左側可動体３６及び右側可動体３７が、それぞれガイド軸３２の左右端に位置していることを確認する。この状態においては、左側回動体４６及び右側回動体４７は共に退避位置に位置しているものとする。その後、作業者は、左側回動体４６及び右側回動体４７にそれぞれ操作部品５９を接続して、左側回動体４６に接続した操作部品５９を背面視において半時計回りに、右側回動体４７に接続した操作部品５９を背面視において時計回りに、操作摘み５９ｄを摘みながらそれぞれを回動させる。被係止突起５９ｆが係止突起５７ｃを越える手応えを感じるまで、作業者がそれぞれを回動させると、左側回動体４６及び右側回動体４７が共に進出位置となり、左側可動体３６及び右側可動体３７の移動範囲が規制される。
【００５４】
左側回動体４６及び右側回動体４７が共に進出位置である状態でスロットマシン１の輸送を行い、スロットマシン１がホールに到着後、作業者は、左側回動体４６に接続した操作部品５９を背面視において時計回りに、右側回動体４７に接続した操作部品５９を背面視において反時計回りに、被係止突起５９ｆが係止突起５７ｃを越える手応えを感じるまでそれぞれ回動させて、左側回動体４６及び右側回動体４７を共に退避位置とすると、左側可動体３６及び右側可動体３７の移動範囲の規制が解除される。その後、左右両方の操作部品５９を後方へ引き抜いて取り外すことで、スロットマシン１は、ホールで営業を行うことができる状態となる。
【００５５】
以上のように、第１の実施形態のスロットマシン１は、操作部品５９を取り外すことができるように構成されており、左側回動体４６及び右側回動体４７を内部空間Ｓから取り外すことを考慮する必要が無いため、左側回動体４６及び右側回動体４７の大きさや形状に関して設計自由度を向上することができる。第１の実施形態のスロットマシン１は、操作部品５９を取り外すことができるように構成されており、操作部品５９がスロットマシン１内に残ることを考慮する必要が無いため、操作部品５９の大きさや形状に関して設計自由度を向上することができる。また、例えば、大型で強度が高い左側回動体４６及び右側回動体４７により左側可動体３６及び右側可動体３７の移動範囲を規制する場合においては、可動役物２７に左側回動体４６及び右側回動体４７を挿抜するために、可動役物２７に左側回動体４６及び右側回動体４７より大きな開口を形成する必要が無く、可動役物２７の強度を向上することが可能となる。また、輸送中においても、輸送後に操作部品５９を取り外した状態で、内部空間Ｓと外部とを連通する後軸支孔２８ｂは左側回動体４６及び右側回動体４７により塞がれているので、後軸支孔２８ｂから可動役物２７の内部に異物等が侵入することの防止を図ることが可能となる。また、退避位置に位置する左側回動体４６及び右側回動体４７の回動位置は保持突起４３ｅ及び被保持部により保持されるので、操作部品５９を取り外すことにより、例えばホールに設置した後に誤って左側回動体４６及び右側回動体４７が進出位置に回動操作されることの防止を図ることが可能となる。
【００５６】
また、第１の実施形態のスロットマシン１は、左側可動体３６及び右側可動体３７それぞれのローラ４１に左側回動体４６及び右側回動体４７が押されて、左側回動体４６及び右側回動体４７が第１規制面に当接した状態で、第１規制面が左側回動体４６及び右側回動体４７を介して左側可動体３６及び右側可動体３７の移動範囲を規制する。これにより、左側可動体３６及び右側可動体３７に押されて左側回動体４６及び右側回動体４７が退避位置へ移動して、左側回動体４６及び右側回動体４７による左側可動体３６及び右側可動体３７の移動範囲の規制が解除されることの防止を図り、左側可動体３６及び右側可動体３７の移動範囲の規制を維持することができる。
【００５７】
また、第１の実施形態のスロットマシン１は、表示装置２４に形成されている左係止部５６及び右係止部５７に、操作部品５９の回動を規制する第２規制面５７ａを備えている。これにより、左側可動体３６及び右側可動体３７のローラ４１に左側回動体４６及び右側回動体４７が押されて、左右の操作部品５９の被係止部５９ｅがそれぞれ左右の第２規制面５７ａに当接した状態で、第１規制面２８ｄのみならず、第２規制面５７ａも左側移動部材及び右側移動部材５５を介して左側可動体３６及び右側可動体３７の移動範囲を規制する。これにより、左側可動体３６及び右側可動体３７の移動範囲の規制を維持することができる。
【００５８】
また、第１の実施形態のスロットマシン１は、左側回動体４６及び右側回動体４７に操作部品５９が接続されている状態で左側回動体４６及び右側回動体４７が進出位置に位置する状態で、左側回動体４６及び右側回動体４７から操作部品５９が取り外される方向、即ち操作部品５９の後方への移動を阻止する脱離防止面５７ｂを備えている。これにより、左側可動体３６及び右側可動体３７の移動範囲が規制されている状態においては、例えばスロットマシン１が輸送中の振動等を受けても、左側回動体４６及び右側回動体４７に接続されている操作部品５９が意図せず脱離することの防止を図ることができる。
【００５９】
また、第１の実施形態のスロットマシン１は、左側回動体４６及び右側回動体４７を回動させるだけで進出位置と退避位置とに進退させることができるので、簡易な構造で左側回動体４６及び右側回動体４７の位置を進出位置と退避位置とに移動させることができる。
【００６０】
また、第１の実施形態のスロットマシン１は、作業者が、左側回動体４６及び右側回動体４７を進出位置に回動したつもりであるにも関わらず、左側回動体４６及び右側回動体４７の被保持部４７ｆが保持突起４３ｅを十分に越えていなかった場合でも、例えば輸送中の振動等によって左側可動体３６及び右側可動体３７のローラ４１が、左側回動体４６及び右側回動体４７を退避位置から進出位置へ回動する方向、即ち図７（ｂ）のＢ方向へ回動するように押して被保持部４７ｆが保持突起４３ｅを越え、左側回動体４６及び右側回動体４７の回動位置が保持される。このため、作業ミスによる左側可動体３６及び右側可動体３７の脱落等の防止を図ることができる。
【００６１】
また、第１の実施形態のスロットマシン１は、左側回動体４６及び右側回動体４７とガイド板４３との間に被保持部４７ｆと保持突起４３ｅとによる回動位置の保持構造を有すると共に、操作部品５９と表示装置２４との間にも被係止突起５９ｆと係止突起５７ｃによる回動位置の保持構造を有している。このため、左側回動体４６、右側回動体４７及び左右の操作部品５９の回動位置がそれぞれ独立して保持されると共に、左側回動体４６及び右側回動体４７の回動位置がより強固に保持されて、輸送中の振動等により左側回動体４６、右側回動体４７及び操作部品５９の意図しない回動の防止を図ると共に、振動等による操作部品５９の脱離等の防止を図ることができる。
【００６２】
また、第１の実施形態のスロットマシン１は、操作部品５９が回動操作される際には、作業者は、被係止突起５９ｆが係止突起５７ｃを越えていることを目視で確認できるので、左側回動体４６及び右側回動体４７の回動が不十分であるときには容易に発見することができる。また、左側回動体４６及び右側回動体４７の進出位置における回動位置は、保持突起４３ｅに被保持部４７ｆが掛かっていれば良く、回動位置に高い精度を要しないので、生産性を向上することができる。
【００６３】
また、第１の実施形態のスロットマシン１は、左側可動体３６及び右側可動体３７が左側回動体４６及び右側回動体４７より中央寄りに位置している状態で左側回動体４６及び右側回動体４７が退避位置から進出位置に回動された場合において、左側モータ３０及び右側モータ３１が作動して、左側可動体３６に左方向の外力が、右側可動体３７に右方向の外力が与えられると、左側可動体３６及び右側可動体３７はそれぞれ左側回動体４６及び右側回動体４７を乗り越え、左側可動体３６はガイド軸３２の左端まで、右側可動体３７はガイド軸３２の右端まで達することができる。このため、作業者が左側可動体３６及び右側可動体３７の位置を確認せずに左側回動体４６及び右側回動体４７を進出位置に回動した場合でも、電源装置を一度オフからオンにして初期動作が実行されることにより、左側可動体３６及び右側可動体３７の移動範囲が規制された状態となるので、左側可動体３６及び右側可動体３７の移動範囲を規制する際の手間を省くことができ、利便性を向上することができる。
【００６４】
また、第１の実施形態のスロットマシン１は、左側可動体３６と右側可動体３７とが互いに当接する際に、遊技者からは視認がしにくい位置に配置されているそれぞれのホルダ３８で当接するので、遊技者から視認しやすい左側装飾部３６ａ及び右側装飾部３７ａ等の傷付きや塗装の剥がれ等の防止を図ることができると共に、左側可動体３６と右側可動体３７との当接による傷を目立たなくすることができる。また、左側可動体３６と右側可動体３７とが互いに当接している状態においては、左側装飾部３６ａの右端と右側装飾部３７ａの左端とが前後に重なるように構成したことにより、遊技者に対して左側装飾部３６ａの右端と右側装飾部３７ａの左端とが当接しているように見せることができるので、演出効果を高めることができる。
【００６５】
５．第２の実施形態
続いて、第２の実施形態である、スロットマシン１０１について図１１を用いて説明する。スロットマシン１０１は、第１の実施形態に対して、左側可動体３６及び右側可動体３７が左右方向へスライド移動する移動範囲を規制する構成が異なるが、その他の構成は同一であり、第１の実施形態と同様な構成については、図示を省略、又は図に同一符号を付して説明を省略する。
【００６６】
図１１（ａ）及び（ｂ）に示すように、スロットマシン１０１の可動役物１２７は、左側可動体３６及び右側可動体３７のスライド移動による遊技演出を行っていない状態においては、左側可動体３６は正面視においてガイド軸３２の左端に位置するように、右側可動体３７は左側可動体３６に隣接するように、制御される。また、左側可動体３６及び右側可動体３７の位置に寄らず、電源装置がオフからオンに切り換えられたときは、初期動作として、左側可動体３６及び右側可動体３７は共に上述の位置までスライド移動するように制御される。
【００６７】
可動役物１２７の左下部には、フレーム１２８及びガイド板（不図示）により回動可能に軸支される一対のストッパ部としての回動体１４６が左右に所定の間隔で配置されており、一対の回動体１４６は、互いに棒状のリンクである連結部材６０を備えた連動部としての連動機構５８により連結されている。連結部材６０は、一対の回動体１４６のそれぞれに対し回動自在に軸支されており、これにより、一対の回動体１４６は、回動位置が略一致した状態で一括して回動するように連動する。
【００６８】
左側可動体３６及び右側可動体３７のスライド移動の移動範囲を規制する際には、まず作業者は、図１１（ｂ）に示すように左側可動体３６がガイド軸３２の左端に位置していること及び右側可動体３７が左側可動体３６に隣接していることを確認した後、図１１（ａ）に示すように、操作部としての操作部品５９の基軸５９ｂの前端が正面視において左方の回動体１４６の支軸４７ａの後端に当接するように係合軸５９ａを当該回動体１４６の係合孔４７ｄに挿通させることで、操作部品５９が上記回動体１４６と接続される。これにより、一対の回動体１４６、連動機構５８及び操作部品５９により、移動部材１５５が構成される。この状態で、正面視において左方の回動体１４６の被係止突起５９ｆがガイド板の係止突起５７ｃを越えるまで、背面から視て反時計回りとなるＥ方向へ操作摘み５９ｄを回動させると、図１１（ｃ）に示すように、一対の回動体１４６が共に進出位置に回動し、左側可動体３６及び右側可動体３７の右方へスライド移動する移動範囲が規制される。また、操作部品５９をＥとは反対の方向へ回動させると、図１１（ｃ）に示すように、一対の回動体１４６が共に退避位置に回動し、左側可動体３６及び右側可動体３７がスライド移動する移動範囲の規制が解除される。
【００６９】
以上のように、第２の実施形態のスロットマシン１０１は、１回の操作により複数の回動体１４６が一括して回動するように構成されており、左側可動体３６及び右側可動体３７等の複数の可動体の移動範囲を一括して規制することができるので、作業者の手間を省くことが可能となる。また、例えば、左側回動体４６、右側回動体４７及び回動体１４６等、複数の回動体が設けられている場合であっても、輸送後に作業者が可動体の規制の解除を行い忘れる可能性を低減することが可能となる。
【００７０】
６．変形例
なお、第１の実施形態及び第２の実施形態においては、左側可動体３６又は右側可動体３７等の可動体のうちの一つを、左側回動体４６、右側回動体４７及び回動体１４６等の回動体のうちの一つで規制しているが、これに限らず、一つの可動体の移動範囲を複数の回動体で規制してもよいし、２以上の可動体を設けて、それぞれの移動範囲を複数の回動体で規制してもよい。また、第２の実施形態のように、左側可動体３６及び右側可動体３７をガイド軸３２の左右何れか一方の端部に寄せて停止させるように制御し、外側に位置する可動体の移動範囲の規制を内側に位置する可動体で行い、内側に位置する可動体のみ回動体による規制を行う構成としてもよい。また、同様に、複数の可動体の移動範囲を一つの回動体で規制してもよい。また、可動体が移動可能な範囲の全てを遊技演出に使用するものに限らず、遊技演出には使用されないが、回動体により可動体の移動範囲を規制するために使用される可動体のスライド位置を有するものでもよい。この場合は、例えばホールでの営業中に誤って回動体により可動体の移動範囲が規制されることの防止を図ることができる。
【００７１】
また、回動体が直接可動体に当接して可動体の移動範囲を規制する構成に限らず、回動体と可動体の間に別途の移動可能な部材を介して規制を行ってもよい。また、第２の実施形態においては、連結部材６０が左側可動体３６及び右側可動体３７のそれぞれに当接して左側可動体３６及び右側可動体３７の移動範囲を規制する構造としてもよいし、同様に、可動体と回動体や連結部材６０との間に別途の移動可能な部材を介して規制を行ってもよい。また、連動機構５８は、連結部材６０のような棒状のリンクを用いたものに限らず、カムや歯車等により複数の回動体を連動させるように構成してもよい。
【００７２】
また、第１の実施形態及び第２の実施形態においては、操作部品５９は必ずしも回動体から取り外し可能である必要は無く、操作部品５９は回動体と一体で設けられていてもよい。この場合は、作業者が操作部品５９を着脱する手間を省くことができる。また、第１の実施形態及び第２の実施形態においては、操作部品５９は直接的に回動体に接続されるものに限らず、他の部品を介して間接的に回動体に接続されてもよい。また、第２の実施形態においては、操作部品５９は連結部材６０に接続されて、左右に平行移動することで回動体を操作するものであってもよい。第２の実施形態においては、可動役物２７の右下部に更に第１の実施形態のように右側回動体４７を設けてもよいし、可動役物２７の右下部に連動する２つの回動体を設けてもよく、また、輸送中に使用されない回動体を設けてもよい。このようにすることで、輸送中における左側可動体３６及び右側可動体３７の位置について複数のバリエーションを持たせることができる。
【００７３】
また、可動体の移動方向は左右方向であるものに限らず、上下方向でもよいし、単一又は複数の軸を基準に回転するものでもよいし、上述した以外の所定の軌跡に沿って移動するものでもよい。また、可動体は表示装置２４の前で可動するものに限らず、例えば電飾装置の内部で可動するものでもよいし、電飾装置そのものが可動するものでもよいし、表示装置２４が可動するものでもよいし、下パネル７１が可動するものでもよい。また、表示装置２４はリールパネル２３の上方に配置されているものに限らず、例えば前面下扉６２の上部に配置されていてもよいし、下パネル７１が表示装置２４であってもよい。
【００７４】
また、係合軸５９ａ及び係合孔４７ｄの接続手段は、上述した形態に限らず、例えば係合軸５９ａが左側回動体４６及び右側回動体４７に形成されてかつ係合孔４７ｄが操作部品５９に形成されていてもよいし、一方がマイナスドライバーやプラスドライバーの先端のような形状でかつ他方がすり割り付きねじや十字穴付きねじのような形状であってもよいし、互いに噛み合う爪を有する噛み合いクラッチのような形状であってもよいし、互いが摩擦力により相対回転しない構造であってもよく、操作部品５９の操作力を左側可動体３６及び右側可動体３７へ伝達することが可能な様々な形態を採用可能である。また、操作部品５９と左側可動体３６及び右側可動体３７とは、直接当接して操作力が伝達するものに限らず、例えば互いが磁力により相対回転しない構造であってもよい。
【００７５】
また、第１規制面２８ｄ及び第２規制面５７ａを両方備えているものに限らず、何れか一方を備えているものでもよい。また、左係止部５６及び右係止部５７は、表示装置２４に設けられているものに限らず、サブ制御基板ユニット２６やフレーム２８等、前面上扉６１または前面下扉６２と相対的に固定されているものであればよい。また、保持突起４３ｅ、被保持部４７ｆ、係止突起５７ｃ及び被係止突起５９ｆにより、回動体と各操作部品５９との回動位置がそれぞれ独立して保持されるものに限らず、回動体のみ、若しくは操作部品５９のみの回動位置が保持されるものでもよい。また、内部空間Ｓは上述した構成により区画されているものに限らず、他の様々な構成により区画されていてもよいし、天板５０は樹脂枠２２や上電飾装置５１、可動役物２７と一体に形成されていてもよい。
【００７６】
また、回動体は、可動役物２７の下部に設けられているものに限らず、左右に設けられていてもよいし、上部に設けられていてもよい。また、回動体と可動体との当接はローラ４１を介すものに限らず、左側装飾部３６ａ及び右側装飾部３７ａが直接当接するものでもよいし、可動体の他の部位が当接するものでもよい。また、ローラ４１は自重で下方へ移動するものに限らず、輸送中の振動等により上下動しにくいようにばね等の弾性体で下方へ付勢されていてもよい。また、操作部品５９は着脱可能であるものに限らず、回動体と一体に形成されて、輸送後も取り外されないものでもよい。また、回動体の進出位置と退避位置との移動は回動のみにより行われるものに限らず、平行移動でもよいし、複数方向への平行移動や回動を組合せたものでもよい。また、保持突起４３ｅ及び被保持部４７ｆによる回動体の回動位置の保持は、保持爪４３ｄの弾性変形を利用するものに限らず、ガイド板の本体部分や回動体の弾性変形を利用するものでもよい。また、前面上扉６１と前面下扉６２は一体に構成されていてもよい。
【００７７】
また、第１の実施形態及び第２の実施形態においては、遊技機の一例である、メダルを遊技媒体として用いた遊技を行うスロットマシンを例にして説明したが、本発明は、遊技球を遊技媒体として用いた遊技を行うスロットマシンや、パチンコ機を含む弾球遊技機等の各種の遊技機に適用可能である。
【符号の説明】
【００７８】
１      遊技機（スロットマシン）
２７    可動役物
２８    フレーム
２８ｄ  規制部（第１規制面）
３６    可動体（左側可動体）
３７    可動体（右側可動体）
４６    ストッパ部（左側回動体）
４７    ストッパ部（右側回動体）
５５    移動部材（右側移動部材）
５７ａ  規制部（第２規制面）
５８    連動部（連動機構）
５９    操作部（操作部品）
１０１  遊技機（スロットマシン）
１２７  可動役物
１２８  フレーム
１４６  ストッパ部（回動体）
１５５  移動部材
Ｃ      着脱方向
【図１】
2018175719.tif 000003
【図２】
2018175719.tif 000004
【図３】
2018175719.tif 000005
【図４】
2018175719.tif 000006
【図５】
2018175719.tif 000007
【図６】
2018175719.tif 000008
【図７】
2018175719.tif 000009
【図８】
2018175719.tif 000010
【図９】
2018175719.tif 000011
【図１０】
2018175719.tif 000012
【図１１】
2018175719.tif 000013